(57)【特許請求の範囲】
【請求項１】
透析液が充填された少なくとも一つの透析液容器と、透析液を回収する少なくとも一つの排液回収容器とを含む透析液回路と、
前記透析液容器を起点とし、または、前記排液回収容器を終点として、透析液を送液する送液手段と、
透析に関する条件を表示する表示手段と、
前記透析液回路中の流路を切り替えるクランプ部と、
透析液を加温するヒーターと、
停電の検出を行う停電検出回路と、
バッテリーとを有し、
患者側に透析液を供給するとともに、その排液を回収するよう作動する腹膜透析装置であって、
前記停電検出回路により停電となったことが検出されると、前記バッテリーから電力が供給されるとともに、停電処理を実行するよう構成されており、
前記停電処理は、前記クランプ部の全てのクランプを閉じて前記透析液回路内の液流を遮断しかつ前記ヒーターを停止する動作を含むものであることを特徴とする腹膜透析装置。
【請求項２】
前記透析液回路は、透析液を一時的に貯留するとともに貯留された透析液を前記ヒーターにより加温する加温用透析液バッグと、透析液の排液を一時的に貯留するリザーバーバッグとを備え、
前記送液手段は、前記加温用透析液バッグおよび前記リザーバーバッグを収納するバッグ収納部の雰囲気を減圧状態および加圧状態とし得る減圧・加圧装置で構成されている請求項１に記載の腹膜透析装置。
【請求項３】
前記停電処理は、前記バッグ収納部を大気圧状態にする動作を含む請求項２に記載の腹膜透析装置。
【請求項４】
予め設定されている待機時間内に停電から復帰した場合には、停電直前に実行されていた工程から再開する請求項１ないし３のいずれかに記載の腹膜透析装置。
【請求項５】
予め設定されている待機時間を経過しても停電している場合には、エラー処理が行われる請求項１ないし４のいずれかに記載の腹膜透析装置。
【請求項６】
エラー状態または一時停止状態のときに、停止スイッチを所定秒オンすることにより、強制的に治療を終了する請求項１ないし５のいずれかに記載の腹膜透析装置。
【発明の詳細な説明】
【０００１】
【発明の属する技術分野】
本発明は、透析液を交換する腹膜透析装置に関する。
【０００２】
【従来の技術】
近年、腹膜透析による治療法は、人工腎臓による透析法に比し、装置、器具が小型で簡易であり、治療費も安いこと、腹膜癒着の防止が可能となったこと、患者の負担が少ないこと等の理由から、注目されている。
【０００３】
この腹膜透析法のうち、特に連続的携帯式腹膜透析法（continuous ambulatory peritoneal dialysis,以下、「ＣＡＰＤ」という）は、患者自身が自宅や職場で透析液の容器（バッグ）の交換を行うことができるため、社会復帰がし易く、大いに注目されている。
【０００４】
このＣＡＰＤは、患者の腹腔内にカテーテルチューブ（腹膜カテーテル）を留置し、このカテーテルチューブの体外端にトランスファーチューブを接続し、これに透析液の入った透析液バッグ（注液バッグ）のバッグチューブを接続し、各チューブを通じてバッグ内の透析液を腹腔内に注液し、所定時間透析を行った後、腹腔内の透析液排液を前記各チューブを通じて、排液バッグ内に回収するものである。なお、各チューブ同士の接続は、両チューブの端部にそれぞれ装着された雄、雌コネクタの嵌合により無菌的に行われる。
【０００５】
ところで、このＣＡＰＤにおいては、透析液の腹膜内への注液は、透析液バッグを患者の腹部から１ｍ程度高い位置へ置き、その落差によって透析液を透析液バッグから腹膜内へ移送している。また、腹膜内からの透析液排液の回収は、排液バッグを患者の腹部から１ｍ程度低い位置へ置き、その落差によって透析液を腹膜内から排液バッグへ移送している。
【０００６】
しかしながら、このような透析液の注液、排液方法では、例えば、患者が就寝中に腹膜透析を行う場合、ベッドを用いて患者を床から７０〜１００cm程度の高い位置に寝かせ、さらに、患者より１ｍ程度高い位置に透析液バッグをセットする必要があるため、装置全体の高さが２ｍ程度と大型なものとなり、取り扱いや運搬がしにくいばかりか、就寝中の患者等により装置を転倒させてしまうおそれがある。さらに、排液に必要な落差を確保するため、患者の就寝位置（高さ）を自由に選択することができないという欠点もある。
【０００７】
また、注液・排液が自動化されておらず、その操作に手間がかかるとともに、常に適正な条件で透析を行うことが保証されていない。
【０００８】
【発明が解決しようとする課題】
本発明の目的は、透析治療の自動化が可能であり、また、操作性が良く、安全にかつ最適な条件で透析治療を行うことができる腹膜透析装置を提供することにある。
【０００９】
【課題を解決するための手段】
このような目的は、下記（１）〜（６）の本発明により達成される。
【００１０】
（１）  透析液が充填された少なくとも一つの透析液容器と、透析液を回収する少なくとも一つの排液回収容器とを含む透析液回路と、
前記透析液容器を起点とし、または、前記排液回収容器を終点として、透析液を送液する送液手段と、
透析に関する条件を表示する表示手段と、
前記透析液回路中の流路を切り替えるクランプ部と、
透析液を加温するヒーターと、
停電の検出を行う停電検出回路と、
バッテリーとを有し、
患者側に透析液を供給するとともに、その排液を回収するよう作動する腹膜透析装置であって、
前記停電検出回路により停電となったことが検出されると、前記バッテリーから電力が供給されるとともに、停電処理を実行するよう構成されており、
前記停電処理は、前記クランプ部の全てのクランプを閉じて前記透析液回路内の液流を遮断しかつ前記ヒーターを停止する動作を含むものであることを特徴とする腹膜透析装置。
【００１１】
（２）  前記透析液回路は、透析液を一時的に貯留するとともに貯留された透析液を前記ヒーターにより加温する加温用透析液バッグと、透析液の排液を一時的に貯留するリザーバーバッグとを備え、
前記送液手段は、前記加温用透析液バッグおよび前記リザーバーバッグを収納するバッグ収納部の雰囲気を減圧状態および加圧状態とし得る減圧・加圧装置で構成されている上記（１）に記載の腹膜透析装置。
【００１２】
（３）  前記停電処理は、前記バッグ収納部を大気圧状態にする動作を含む上記（２）に記載の腹膜透析装置。
【００１３】
（４）  予め設定されている待機時間内に停電から復帰した場合には、停電直前に実行されていた工程から再開する上記（１）ないし（３）のいずれかに記載の腹膜透析装置。
【００１４】
（５）  予め設定されている待機時間を経過しても停電している場合には、エラー処理が行われる上記（１）ないし（４）のいずれかに記載の腹膜透析装置。
【００１５】
（６）  エラー状態または一時停止状態のときに、停止スイッチを所定秒オンすることにより、強制的に治療を終了する上記（１）ないし（５）のいずれかに記載の腹膜透析装置。
【００１６】
【発明の実施の形態】
以下、本発明の腹膜透析装置を添付図面に示す好適実施例に基づいて詳細に説明する。
【００１７】
図１は、本発明の腹膜透析装置の構成例を模式的に示す斜視図である。
同図に示す腹膜透析装置１は、腹膜透析液を自動的に交換する療法（Automated Peritoneal Dialysis,以下、「ＡＰＤ」という）に好適に用いることができる自動腹膜透析装置、すなわち、腹膜透析を行うに際し、患者の腹膜内（腹腔内）に透析液を注入（供給）し、その排液を回収する装置である。
【００１８】
同図に示すように、腹膜透析装置１は、透析装置本体２と、透析液回路３とで構成されている。
【００１９】
図２は、図１に示す腹膜透析装置１の透析液回路３を示す図である。なお、図２では、透析液回路３の一部は省略されている。
【００２０】
図１および図２に示すように、透析液回路３は、透析液が充填された複数の透析液バッグ（透析液容器）４ａ、４ｂ、４ｃ、４ｄ、４ｅと、透析液を一時的に貯留する加温用透析液バッグ（一時貯留容器）５と、トランスファーチューブ１８を含むトランスファーチューブセット６と、カセット７と、透析液の排液（以下単に「排液」という）を一時的に貯留するリザーバーバッグ（一時貯留容器）８と、排液を回収する複数の排液バッグ（排液回収容器）９ａ、９ｂ、９ｃ、９ｄと、前記各バッグ等を所定の配置で接続するチューブ１１〜１７、２１〜２３、コネクタ３１〜３３、分岐コネクタ４１〜４６とを有している。
【００２１】
透析液バッグ４ａ、４ｂ、４ｃ、４ｄ、４ｅは、それぞれ、軟質ポリ塩化ビニルのような可撓性樹脂製のシート材を袋状に成形してなるものであり、これらには、バッグ内に連通するチューブ１１がそれぞれ接続されている。各透析液バッグ４ａ、４ｂ、４ｃ、４ｄ、４ｅは、チューブ１１が接続されている側を下側にして、図示しないハンガーに吊り下げられている。
【００２２】
透析液バッグ４ａ、４ｂ、４ｃ、４ｄ内には、それぞれ、同一の組成の透析液が充填されており、透析液バッグ４ｅ内には、透析液バッグ４ａ、４ｂ、４ｃ、４ｄ内の透析液とは異なる組成または濃度の透析液（最終透析液）が充填されている。
【００２３】
各チューブ１１には、それぞれ、コネクタ３１を介してチューブ１２および１３の一端が着脱自在に接続され、各チューブ１２の他端は、２股に分岐した分岐コネクタ４１および４２の一端に接続されている。各分岐コネクタ４１および４２の他端は、２股に分岐した分岐コネクタ４３の一端に接続され、この分岐コネクタ４３の他端は、チューブ１４の一端に接続されている。
【００２４】
チューブ１３および１４の他端は、カセット７内で、チューブ１５の一端に接続されている。チューブ１５の他端には、コネクタ３２を介してチューブ１６の一端が着脱自在に接続され、このチューブ１６の他端は、加温用透析液バッグ５に接続されている。
【００２５】
また、チューブ１５の途中には、カセット７内で、チューブ１７の一端が接続されている。チューブ１７の他端には、コネクタ３３を介してトランスファーチューブ１８の一端が着脱自在に接続されている。このトランスファーチューブ１８の他端は、ジョイント３４を介して患者３００の腹膜内に留置されたカテーテルチューブ１９の一端と着脱自在に接続されている。
【００２６】
また、チューブ１７の途中には、カセット７内で、チューブ２１の一端が接続されている。チューブ２１の他端は、リザーバーバッグ８に接続されている。
【００２７】
排液バッグ９ａ、９ｂ、９ｃ、９ｄは、それぞれ、軟質ポリ塩化ビニルのような可撓性樹脂製のシート材を袋状に成形してなるものであり、これらには、バッグ内に連通するチューブ２２がそれぞれ接続されている。各排液バッグ９ａ、９ｂ、９ｃ、９ｄは、チューブ２２が接続されている側が同方向に揃うように配置されている。
【００２８】
各チューブ２２は、２股に分岐した分岐コネクタ４４および４５の一端に接続されている。各分岐コネクタ４４および４５の他端は、２股に分岐した分岐コネクタ４６の一端に接続され、この分岐コネクタ４６の他端は、チューブ２３の一端に接続されている。チューブ２３の他端は、カセット７内で、チューブ２１の途中に接続されている。
【００２９】
カセット７には複数のチューブ押圧部材（チューブ受部）７０が設けられており、各チューブ１３〜１５、１７、２１および２３は、カセット７内で、これらのチューブ押圧部材（チューブ受部）７０にセットされている。このカセット７は、後述する透析装置本体２のクランプ部５７に着脱自在に装着される。そして、透析装置本体２のクランプ部５７の各クランプ５７０により、各チューブ１３〜１５、１７、２１および２３内の流路を開閉し、透析液回路３中の流路を切り替える。
【００３０】
なお、前記透析装置本体２のクランプ部５７の各クランプ５７０の駆動、すなわち、前記透析液回路３中の流路の切り替えは、後述する制御手段７１により制御される。
【００３１】
各チューブ１２の途中には、それぞれ、チューブ１２内の流路を開閉するクレンメ３５が、チューブ１３の途中には、チューブ１３内の流路を開閉するクレンメ３６が、チューブ１７の途中には、チューブ１７内の流路を開閉するクレンメ３７が、各チューブ２２の途中には、それぞれ、チューブ２２内の流路を開閉するクレンメ３８が、設置されている。
【００３２】
また、トランスファーチューブ１８の途中には、トランスファーチューブ１８内の流路を開閉するローラークランプ３９が設置されている。
【００３３】
前記各コネクタ３１〜３３は、それぞれ、その着脱時にコネクタ内部の流路を無菌的に保持し得る構成（例えば２重構造）となっている。また、ジョイント３４は、その着脱時にジョイント内部の流路を無菌的に保持し得る構成（例えば２重構造）となっている。
【００３４】
本実施例における加温用透析液バッグ５およびリザーバーバッグ８は、いずれも可撓性（柔軟性）を有する袋状のものであり、例えば、軟質樹脂製のシート材の縁部を融着して袋状に成形してなるものである。
【００３５】
加温用透析液バッグ５およびリザーバーバッグ８を構成するシート材としては、例えば、軟質ポリ塩化ビニル、ポリエチレン，ポリプロピレン，エチレン−酢酸ビニル共重合体（ＥＶＡ）のようなポリオレフィン系樹脂、ポリエチレンテレフタレート（ＰＥＴ），ポリブチレンテレフタレート（ＰＢＴ）のようなポリエステル系樹脂、ポリアミド、ポリウレタン系、ポリエステル系、ポリアミド系、オレフィン系、スチレン系等の各種樹脂、あるいはこれらのうちの２以上を適宜組み合わせた樹脂等が挙げられる。
【００３６】
なお、加温用透析液バッグ５およびリザーバーバッグ８は、その全体が可撓性を有するものに限らず、一部が可撓性を有し、変形して容積が変化するものであってもよい。
【００３７】
また、加温用透析液バッグ５およびリザーバーバッグ８の容量は、患者の症例や、透析液バッグおよび排液バッグの数（容量）等の諸条件により変動するため、特に限定されないが、通常、加温用透析液バッグ５の容量として１００〜３０００ml程度のもの、特に１５００〜２０００ml程度のものが好適に使用され、リザーバーバッグ８の容量として１００〜３５００ml程度のもの、特に１５００〜２５００ml程度のものが好適に使用される。
【００３８】
各チューブ１１〜１７、２１〜２３、トランスファーチューブ１８およびカテーテルチューブ１９は、それぞれ、可撓性（柔軟性）を有するものであるのが好ましく、その構成材料としては、例えば、ポリ塩化ビニル，ポリエチレン，ポリプロピレン，ＥＶＡのようなポリオレフィン系樹脂、ＰＥＴ，ＰＢＴのようなポリエステル系樹脂、ポリウレタン、ポリアミド、シリコーン、ポリエステルエラストマー、ポリアミドエラストマー、スチレン−ブタジエン−スチレン共重合体等の熱可塑性樹脂、あるいはこれらのうちの２以上を適宜組み合わせた樹脂等が挙げられる。
【００３９】
図３は、図１に示す腹膜透析装置１の透析装置本体２を示す斜視図、図４は、図１に示す腹膜透析装置１の透析装置本体２（フロントドアを開けた状態）を示す正面図である。
【００４０】
これらの図に示すように、透析装置本体２は、箱形のケーシング５１を有している。このケーシング５１には、加温用透析液バッグ５およびリザーバーバッグ８を収納するバッグ収納部５２が形成されている。
【００４１】
ケーシング５１の図３中上側には、バッグ収納部５２を開閉する蓋５３が設けられており、この蓋５３を閉じると、バッグ収納部５２が密閉される。そして、ケーシング５１の正面の図３および図４中上側には、蓋５３を閉じた状態に保持したり、また、それを解除する蓋ロックレバー５４が設置されている。
【００４２】
また、ケーシング５１の正面には、操作パネル５５、設定パネル５６、クランプ部５７および電源スイッチ（メインスイッチ）６３が、それぞれ設けられている。
【００４３】
クランプ部５７は、前述した透析液回路３におけるカセット７内のチューブ押圧部材７０上のチューブを押圧するための複数のクランプ５７０を有している。これらクランプ５７０は、クランプ部５７にカセット７を装着したとき、チューブ押圧部材７０と対向する位置に配置されている。
【００４４】
また、ケーシング５１の正面には、前記設定パネル５６を開閉する設定パネルカバー５８と、前記クランプ部５７を開閉するフロントドア５９と、セーフティーレバー６２とが、それぞれ設けられ、前記フロントドア５９には、ドアレバー６１が設けられている。
【００４５】
この場合、セーフティーレバー６２を所定方向に移動操作すると、フロントドア５９のロックが解除され、この状態でドアレバー６１を引くと、フロントドア５９が開く。
【００４６】
また、バッグ収納部５２の底部には、加温トレイ６４が設置され、その図３中上側には、一端を中心に回動自在に支持された仕切板６５が設置されている。
【００４７】
加温用透析液バッグ５は、加温トレイ６４上に載置され、蓋５３を閉じた後、この加温トレイ６４で所定の温度になるように加温（加熱）される。仕切板６５は、加温用透析液バッグ５上に倒され、リザーバーバッグ８は、その仕切板６５上に載置される。
【００４８】
また、バッグ収納部５２内には、加温用透析液バッグ５を引っかけるフック６６が形成されている。
【００４９】
また、ケーシング５１の上端部には、透析液回路３のチューブ１５および２１が挿入して係止されるチューブ溝６７が形成され、ケーシング５１の図３中右側の側面には、チューブ１７を挟持するキャップホルダー６８が設けられている。
【００５０】
図５は、操作パネル５５を示す正面図である。
同図に示すように、操作パネル５５には、透析に関する条件等を表示する表示部（表示手段）６９と、開始スイッチ５５１と、レポートスイッチ５５２と、停止スイッチ５５３と、開始ランプ５５４と、停止ランプ５５５と、警報ランプ５５６と、カセットランプ５５７と、バッグ収納部蓋ランプ５５８と、注液適温ランプ５５９とが、それぞれ設けられている。
【００５１】
表示部６９は、例えば、液晶表示素子（ＬＣＤ）、ＣＲＴ、ＥＬ等で構成することができる。
【００５２】
図６は、設定パネル５６を示す正面図である。
同図に示すように、設定パネル５６には、照度調整スイッチ５６１と、治療設定確認スイッチ５６２と、治療スイッチ５６３と、記憶スイッチ５６４と、時刻スイッチ５６５と、排液パススイッチ５６６と、プラス（＋）スイッチ５６７と、マイナス（−）スイッチ５６８とが、それぞれ設けられている。
【００５３】
図７は、図１に示す腹膜透析装置１の透析装置本体２の回路構成を示すブロック図である。
【００５４】
同図に示すように、透析装置本体２は、制御手段７１を内蔵している。
制御手段７１は、例えばマイクロコンピュータ（ＣＰＵ）で構成されており、後述する各工程を自動的に行うためのシーケンス制御等、腹膜透析装置１の全体の制御を行う。
【００５５】
制御手段７１には、表示部６９、操作部７２、ランプ駆動回路７３、メモリー（ＲＯＭ、ＲＡＭ、ＥＥＰＲＯＭ）７４、リアルタイムクロック７５、ヒーター制御回路７６、重量計測回路８１、温度計測回路８４、漏液検出回路８６、ドアロック検出センサー８７、ポンプ制御回路８８、クランプ制御回路９２、電源回路９８、バッテリー（補助電源）１０１、停電検出回路１０２および安全回路１０３が、それぞれ、電気的に接続（以下、単に「接続」と言う）されている。
【００５６】
操作部７２は、透析液の交換を行う際のモードの選択や諸条件を設定するための操作等を行うものであり、前述した電源スイッチ６３、開始スイッチ５５１、レポートスイッチ５５２、停止スイッチ５５３、照度調整スイッチ５６１、治療設定確認スイッチ５６２、治療スイッチ５６３、記憶スイッチ５６４、時刻スイッチ５６５、排液パススイッチ５６６、プラススイッチ５６７、マイナススイッチ５６８および図示しない各種スイッチを有している。
【００５７】
また、ランプ駆動回路７３には、前述した開始ランプ５５４、停止ランプ５５５、警報ランプ５５６、カセットランプ５５７、バッグ収納部蓋ランプ５５８および注液適温ランプ５５９が、それぞれ、接続されている。
【００５８】
前述したバッグ収納部５２には、加温トレイ６４に設けられたヒーター７８、ヒーター７８のサーモスイッチ７７、秤（ロードセル）７９、温度センサー（ヒーター用）８２、温度センサー（バッグ用）８３、漏液センサー８５およびドアロック検出センサー８７が、それぞれ、設置されている。
【００５９】
サーモスイッチ７７およびヒーター７８は、ヒーター制御回路７６に、秤（ロードセル）７９は、重量計測回路８１に、温度センサー（ヒーター用）８２および温度センサー（バッグ用）８３は、温度計測回路８４に、漏液センサー８５は、漏液検出回路８６に、それぞれ、接続されている。
【００６０】
また、ポンプ制御回路８８には、バッグ収納部５２の内部の圧力を調節するエアーポンプ・リークバルブ８９と、バッグ収納部５２の内部の圧力を検出する圧力センサー９１とが、それぞれ、接続されている。
【００６１】
前記エアーポンプ・リークバルブ８９およびポンプ制御回路８８により、加温用透析液バッグ５およびリザーバーバッグ８の雰囲気を減圧状態および加圧状態とする減圧・加圧装置（透析液バッグ４ａ〜４ｅを起点、排液バッグ９ａ〜９ｄを終点とし、透析液を送液する送液手段）が構成される。
【００６２】
なお、バッグ収納部５２の内部を減圧状態または加圧状態とするときには、前記リークバルブは閉状態とされ、減圧状態または加圧状態から大気圧に復帰するときには、リークバルブは開状態とされる。
【００６３】
また、前述したクランプ部５７は、各クランプ５７０を駆動するクランプモーター９３、クランプ位置検出センサー９４、カセット検出センサー９５およびドアロック検出センサー９６を有している。
【００６４】
これらクランプモーター９３、クランプ位置検出センサー９４、カセット検出センサー９５およびドアロック検出センサー９６は、それぞれ、クランプ制御回路９２に接続されている。
【００６５】
なお、前記クランプモーター９３およびクランプ５７０により、透析液回路３中の流路を切り替える流路切替手段が構成される。
【００６６】
また、前記制御手段７１により、表示項目設定手段、送液量設定手段および初期排液量設定手段の主機能が達成される。
【００６７】
次に、腹膜透析装置１の作用を説明する。
電源（ＡＣ１００Ｖ）１０４からの電力は、電源トランス９７を介して、腹膜透析装置１に供給される。この場合、電源１０４の電圧は、電源トランス９７で所定の電圧値に変更されて、電源回路９８および停電検出回路１０２にそれぞれ印加される。
【００６８】
電源回路９８からの電力は、透析装置本体２の制御手段７１および電力を必要とする各部（各電気回路）にそれぞれ供給される。
【００６９】
また、電源回路９８からの電力は、充電回路９９を介してバッテリー１０１に供給され、これによりバッテリー１０１が充電される。このバッテリー１０１に蓄積された電力は、電源スイッチ６３がオフしているときや、停電の際等に使用される。
【００７０】
停電検出回路１０２は、電源トランス９７からの印加電圧に基づいて停電を検出する。この停電検出回路１０２からの信号（情報）は、制御手段７１および安全回路１０３に入力される。そして、安全回路１０３からの信号は、ヒーター制御回路７６、ポンプ制御回路８８およびクランプ制御回路９２に、それぞれ入力される。
【００７１】
図８は、図１に示す腹膜透析装置１の状態推移図である。
同図に示すように、電源スイッチ６３がオフの状態（Ｓ１０１）で、本体内部のスイッチ（操作部７２にある図示しないスイッチ）をテストモードに設定し（切り替え）、電源スイッチ６３をオンすると、テストモードに設定される（Ｓ１０２）。
【００７２】
このテストモードでは、温度測定モード、重量測定モード、クランプテストモード等に設定することができ、設定された各モードにおいて、それぞれ、所定の測定やテストを行うことができる。
【００７３】
また、電源スイッチ６３がオフの状態で、本体内部のスイッチをパラメータ設定１に設定し、電源スイッチ６３をオンすると、パラメータ設定１に設定される（Ｓ１０３）。
【００７４】
このパラメータ設定１では、操作部７２の図示しないスイッチの操作により、主に、下記▲１▼〜▲５▼の設定を行うことができる。
【００７５】
▲１▼  貯留時間やサイクル数を中心に治療条件（透析条件）を設定（入力）する治療設定方式（入力方式）であるＡタイプ／透析時間や総透析液量を中心に治療条件を設定する治療設定方式であるＢタイプの設定。
【００７６】
▲２▼  透析液バッグ４ａ〜４ｅ内に残存した透析液の排液バッグ９ａ〜９ｄへの移送を透析終了後に自動的に行う自動モード／前記移送を行うか否かを手動で選択し得る手動モードの設定。
【００７７】
▲３▼  最後の排液（排液の回収）終了後に、再度、残液（腹膜内に残存している透析液）の排液を行うことが可能な再排液モードの設定。
【００７８】
▲４▼  送液量の設定値の最小単位を、１０mL（小児用）／５０mL（大人用）に設定。
【００７９】
▲５▼  総注液量、総排液量、再排液量、平均貯留時間、各サイクル毎の注液量、各サイクル毎の排液量、各サイクル毎の除水量、各サイクル毎の貯留時間、残り貯留時間および残り透析時間のそれぞれについて、表示／非表示の設定。
【００８０】
また、電源スイッチ６３がオフの状態で、本体内部のスイッチをパラメータ設定２に設定し、電源スイッチ６３をオンすると、パラメータ設定２に設定される（Ｓ１０４）。
【００８１】
このパラメータ設定２では、操作部７２の図示しないスイッチの操作により、注液速度、排液速度、後述する停電時の待機時間等の設定を行うことができる。
【００８２】
また、電源スイッチ６３がオフの状態から、オンにすると、イニシャライズ（初期化）が行われる（Ｓ１０５）。
【００８３】
このイニシャライズでは、透析装置本体２の各部についてのセルフチェック等が行われる。
【００８４】
前記イニシャライズにおけるセルフチェックで異常なしと判断された場合には、クランプ制御回路９２によりクランプ部５７の各クランプモーター９３が駆動され、これにより各クランプ５７０がそれぞれ開放状態となるとともに、カセット検出センサー９５により、クランプ部５７におけるカセット７の検出が行われる。カセット検出センサー９５からの信号は、クランプ制御回路９２に入力され、さらにクランプ制御回路９２から制御手段７１に入力される。
【００８５】
カセット７が検出されない場合、すなわち、カセット７がクランプ部５７に装着されていない場合には、表示部６９に、使用者（操作者）への指示メッセージとして、「カセットヲ  セット」と表示され、スタンバイ（待機）状態となる（Ｓ１０６）。
【００８６】
一方、カセット７が検出された場合、すなわち、前回使用した透析液回路３のカセット７が、クランプ部５７に装着されている場合には、終了処理状態（Ｓ１１３）となり、表示部６９に、使用者（操作者）への指示メッセージとして、「クランプヲスベテトジ，テイシヲオス」と表示される。この場合には、所定の手順に従って、使用済の透析液回路３のカセット７をクランプ部５７から取り外す。
【００８７】
また、前記イニシャライズにおけるセルフチェックで異常ありと判断された場合には、エラー処理が行われる（Ｓ１１１）。
【００８８】
このエラー処理では、警報ランプ５５６が点灯するとともに、表示部６９によりアラーム（警報）表示が行われる。この場合、表示部６９には、エラーに対応するアラームの内容が表示される。
【００８９】
治療（透析）を行う場合、すなわち透析液の交換を行う場合には、前記スタンバイ状態（Ｓ１０６）において、透析液回路３のカセット７をクランプ部５７に装着し、フロントドア５９を閉じ、フロントドア５９をロックさせる。
【００９０】
クランプ部５７では、ドアロック検出センサー９６により、フロントドア５９のロックの検出が行われ、このドアロック検出センサー９６からの信号は、クランプ制御回路９２に入力され、さらにクランプ制御回路９２から制御手段７１に入力される。
【００９１】
フロントドア５９がロックされている場合には、カセットランプ５５７が点灯し、表示部６９に、使用者（操作者）への指示メッセージとして、「カイシスイッチヲ  オス」と表示される。
【００９２】
次いで、開始スイッチ５５１をオンすると、クランプ制御回路９２によりクランプ部５７の各クランプモーター９３が駆動され、これにより各クランプ５７０がそれぞれ閉じる。
【００９３】
なお、クランプ５７０の動作中は、表示部６９に、使用者（操作者）への指示メッセージとして、「クランプドウサチュウ」と表示され、その動作が完了すると、表示部６９に、使用者（操作者）への指示メッセージとして、「プライミングジュンビ」と表示される。
【００９４】
次いで、加温用透析液バッグ５をバッグ収納部５２の加温トレイ６４上に載置し、仕切板６５を倒し、リザーバーバッグ８をこの仕切板６５上に載置する。そして、蓋５３を閉じ、蓋ロックレバー５４により蓋５３をロックさせる。
【００９５】
バッグ収納部５２では、ドアロック検出センサー８７により、蓋５３のロックの検出が行われ、このドアロック検出センサー８７からの信号は、制御手段７１に入力される。
【００９６】
蓋５３がロックされている場合には、バッグ収納部蓋ランプ５５８が点灯する。
【００９７】
また、バッグ収納部５２では、温度センサー８２によりヒーター７８の温度が、温度センサー８３により加温用透析液バッグ５の温度が、それぞれ検出される。この場合、温度センサー８２および８３からの信号は、それぞれ温度計測回路８４に入力され、温度計測回路８４は、前記信号に基づいて、ヒーター７８および加温用透析液バッグ５の温度をそれぞれ計測する。これらヒーター７８および加温用透析液バッグ５の温度情報は、それぞれ制御手段７１に入力される。
【００９８】
加温用透析液バッグ５の温度が予め設定された所定温度である場合には、注液適温ランプ５５９が点灯する。
【００９９】
また、加温用透析液バッグ５の温度が予め設定された所定温度より低い場合には、加温用透析液バッグ５は、前記所定温度になるまでヒーター７８で加温される。この場合、制御手段７１は、温度計測回路８４からのヒーター７８および加温用透析液バッグ５の温度情報に基づいて、ヒーター制御回路７６により、ヒーター７８の駆動を制御する。なお、加温用透析液バッグ５が加温されている間は、適温ランプ５５９が点滅する。
【０１００】
また、スタンバイ状態においては、各種の設定を行うことができる。
スタンバイ状態において時刻スイッチ５６５をオンすると、時刻設定モードに設定され、時刻設定処理が行われる（Ｓ１０７）。
【０１０１】
時刻設定処理では、プラススイッチ５６７、マイナススイッチ５６８および記憶スイッチ５６４のうちの所定のスイッチを操作して、年、月、日、時、分の設定を行う。
【０１０２】
再度、時刻スイッチ５６５をオンすると、通常モードに設定され、スタンバイ状態に戻る（Ｓ１０６）。なお、リアルタイムクロック７５から制御手段７１には、クロック（クロック信号）が入力されており、制御手段７１は、前記クロックに基づいて、時刻を表示する。
【０１０３】
また、スタンバイ状態において治療スイッチ５６３をオンすると、治療設定モードに設定され、治療設定処理が行われる（Ｓ１０８）。
【０１０４】
治療設定処理では、表示部６９に設定項目およびその設定値が表示される。この場合、プラススイッチ５６７をオンする毎に、設定値がインクリメントされ、マイナススイッチ５６８をオンする毎に、設定値がデクリメントされる。
【０１０５】
記憶スイッチ５６４をオンすると、表示されている設定項目について、表示されている設定値に設定され、その設定値がメモリー７４に記憶される。そして、設定項目が、次の設定項目に切り替わり、表示部６９に該設定項目およびその設定値が表示される。
【０１０６】
この腹膜透析装置１における前記設定項目は、治療パターン、初期排液量、注液量、貯留時間、最終注液量、最終濃度変更、透析時間、総透析液量、総除水量、サイクル数、初期注液量、タイダール量、タイダール除水量等である。
【０１０７】
ここで、腹膜透析装置１では、腹膜内への透析液の注入（注液）、腹膜内での透析液の滞留（貯留）、腹膜内からの排液の回収（排液）を１サイクルとし、これを自動的に所定サイクル行う。なお、回収した排液の量（排液量）と、注入した透析液の量（注液量）との差を除水量と言う。
【０１０８】
治療パターンには、ＮＰＤ／ＣＣＰＤと、タイダール（ＴＰＤ）との２種類がある。
【０１０９】
ＮＰＤとは、夜間に行う腹膜透析を言う。従って、ＮＰＤでは、昼間は、透析液を腹膜内に滞留させない。すなわち、ＮＰＤでは、注液から治療を開始し、排液で治療を終了する（後述する初期排液および最終注液を行わない）。
【０１１０】
また、ＣＣＰＤとは、連続腹膜透析を言う。従って、ＣＣＰＤでは、排液から治療を開始し、注液で治療を終了する（後述する初期排液および最終注液を行う）。
【０１１１】
なお、治療パターンをＮＰＤ／ＣＣＰＤに設定し、かつ初期排液量および最終注液量を０に設定すると、ＮＰＤに設定される。また、治療パターンをＮＰＤ／ＣＣＰＤに設定し、かつ初期排液量および最終注液量を０以外に設定すると、ＣＣＰＤに設定される。
【０１１２】
また、タイダールとは、排液の際、腹膜内に透析液を一部残存させ、この状態で、次のサイクルの注液を行う腹膜透析を言う。
【０１１３】
初期排液とは、排液から治療を開始する場合の最初の排液を言う。
初期排液量とは、排液から治療を開始する場合の最初の予測排液量を言う。
注液量とは、各サイクルで注入される透析液量を言う。
【０１１４】
貯留時間とは、各サイクルで注入された透析液が、腹膜内に滞留している時間を言う。但し、注液に要する時間（注液時間）および排液に要する時間（排液時間）は、それぞれ含まれない。
【０１１５】
最終注液とは、注液で治療を終了する場合の最後の注液を言う。
最終注液量とは、注液で治療を終了する場合の最後の注液量を言う。
【０１１６】
最終濃度変更とは、最終注液において、各サイクルで使用される透析液と異なる濃度の透析液を使用することを言う。
【０１１７】
透析時間とは、１回の治療に要する時間を言う。但し、最終注液および初期排液が行われる場合には、これら最終注液時間および初期排液時間が含まれる。
【０１１８】
総透析液量とは、１回の治療に使用する透析液の総量を言う。但し、最終注液が行われる場合には、その最終注液量が含まれる。
【０１１９】
総除水量とは、タイダールの場合の予測される除水の総量を言う。但し、初期排液量と最終注液量とから算出される除水量は含まれない。
【０１２０】
サイクル数とは、注液、貯留、排液を１回のサイクルとしたときの１回の治療におけるサイクルの回数をいう。但し、初期排液および最終注液は含まれない。
【０１２１】
初期注液量とは、タイダールの場合の初回に注入される透析液量を言う。
タイダール量とは、タイダールの場合の２回目以降の各サイクルで注入される透析液量を言う。
【０１２２】
タイダール除水量とは、タイダールの場合の各サイクルでの予測除水量を言う。この予測除水量、すなわちタイダール除水量と、前記タイダール量との和が、理論的な各サイクルでのタイダール排液量となる。但し、最終サイクルでの排液量は、理論的に、タイダール除水量と、初期注液量との和になる。
【０１２３】
なお、送液量の設定値の最小単位が１０mLに設定されている場合には、送液量、すなわち、注液量、最終注液量、総透析液量、初期注液量およびタイダール量の設定値は、それぞれ、１０mL単位で増減することができる（例えば、０mL、１０mL、２０mL、３０mL、４０mL、・・・）。
【０１２４】
また、送液量の設定値の最小単位が５０mLに設定されている場合には、送液量、すなわち、注液量、最終注液量、総透析液量、初期注液量およびタイダール量の設定値は、それぞれ、５０mL単位で増減することができる（例えば、０mL、５０mL、１００mL、１５０mL、２００mL、・・・）。
【０１２５】
以下、具体的に、治療設定処理における動作を説明する。なお、代表的に、治療設定方式がＡタイプに設定されており、治療パターンをＮＰＤに設定する場合、すなわち、Ａタイプ・ＮＰＤパターンの場合の治療条件の設定について説明する。
【０１２６】
図９は、Ａタイプ・ＮＰＤパターンにおける治療条件の設定例およびこの設定における腹膜透析装置１の動作を示す図（表およびグラフ）である。なお、図９中下側のグラフの縦軸は、腹膜内の透析液量であり、横軸は、時間である。
【０１２７】
この治療設定処理では、図９の設定項目一覧に記載されている項目（設定項目）、すなわち、治療パターン、初期排液量、注液量、貯留時間、サイクル数、最終注液量および最終濃度変更について、それぞれ設定する。
【０１２８】
前述したように、スタンバイ状態において治療スイッチ５６３をオンすると、治療設定モードに設定される。現在記憶されている治療パターン（例えば、「ＮＰＤ／ＣＣＰＤ」または、「タイダール」）が表示部６９に表示される。
【０１２９】
プラススイッチ５６７またはマイナススイッチ５６８をオンする毎に、設定値が、「ＮＰＤ／ＣＣＰＤ」と、「タイダール」とに交互に切り替わり、表示部６９に、「チリョウパターン  ＮＰＤ／ＣＣＰＤ」と、「チリョウパターン  タイダール」とが、交互に表示される。
【０１３０】
記憶スイッチ５６４をオンすると、治療パターンが、表示部６９に表示されている設定値、すなわち「ＮＰＤ／ＣＣＰＤ」または「タイダール」に設定され、その表示されている設定値がメモリー７４に記憶される。そして、設定項目が、次の設定項目、すなわち初期排液量に切り替わり、表示部６９に、「ショキハイエキリョウ」の文字と、その設定値とが表示される。
【０１３１】
この場合、プラススイッチ５６７をオンする毎に、初期排液量の設定値がインクリメントされ、マイナススイッチ５６８をオンする毎に、初期排液量の設定値がデクリメントされる。
【０１３２】
記憶スイッチ５６４をオンすると、初期排液量が、表示部６９に表示されている設定値に設定され、その設定値がメモリー７４に記憶される。そして、設定項目が、次の設定項目、すなわち注液量に切り替わり、表示部６９に、「チュウエキリョウ」の文字と、その設定値とが表示される。
【０１３３】
この場合、プラススイッチ５６７をオンする毎に、注液量の設定値がインクリメントされ、マイナススイッチ５６８をオンする毎に、注液量の設定値がデクリメントされる。
【０１３４】
記憶スイッチ５６４をオンすると、注液量が、表示部６９に表示されている設定値に設定され、その設定値がメモリー７４に記憶される。そして、設定項目が、次の設定項目、すなわち貯留時間に切り替わり、表示部６９に、「チョリュウジカン」の文字と、その設定値とが表示される。
【０１３５】
この場合、プラススイッチ５６７をオンする毎に、貯留時間の設定値がインクリメントされ、マイナススイッチ５６８をオンする毎に、貯留時間の設定値がデクリメントされる。
【０１３６】
記憶スイッチ５６４をオンすると、貯留時間が、表示部６９に表示されている設定値に設定され、その設定値がメモリー７４に記憶される。そして、設定項目が、次の設定項目、すなわちサイクル数に切り替わり、表示部６９に、「サイクルスウ」の文字と、その設定値とが表示される。
【０１３７】
この場合、プラススイッチ５６７をオンする毎に、サイクル数の設定値がインクリメントされ、マイナススイッチ５６８をオンする毎に、サイクル数の設定値がデクリメントされる。
【０１３８】
記憶スイッチ５６４をオンすると、サイクル数が、表示部６９に表示されている設定値に設定され、その設定値がメモリー７４に記憶される。そして、設定項目が、次の設定項目、すなわち最終注液量に切り替わり、表示部６９に、「サイシュウチュウエキリョウ」の文字と、その設定値とが表示される。
【０１３９】
この場合、プラススイッチ５６７をオンする毎に、最終注液量の設定値がインクリメントされ、マイナススイッチ５６８をオンする毎に、最終注液量の設定値がデクリメントされる。
【０１４０】
記憶スイッチ５６４をオンすると、最終注液量が、表示部６９に表示されている設定値に設定され、その設定値がメモリー７４に記憶される。そして、設定項目が、次の設定項目、すなわち最終濃度変更に切り替わり、表示部６９に、「サイシュウノウドヘンコウ  アリ」または、「サイシュウノウドヘンコウ  ナシ」と表示される。
【０１４１】
この場合、プラススイッチ５６７またはマイナススイッチ５６８をオンする毎に、設定値が、「アリ」と、「ナシ」とに交互に切り替わり、表示部６９に、「サイシュウノウドヘンコウ  アリ」と、「サイシュウノウドヘンコウ  ナシ」とが、交互に表示される。
【０１４２】
記憶スイッチ５６４をオンすると、最終濃度変更が、表示部６９に表示されている設定値、すなわち「アリ」または「ナシ」に設定され、その設定値がメモリー７４に記憶される。そして、設定項目が、次の設定項目（初めの設定項目）、すなわち治療パターンに切り替わり、表示部６９に、「チリョウパターン  ＮＰＤ／ＣＣＰＤ」または、「チリョウパターン  タイダール」と表示される。
【０１４３】
以下、前記と同様に、プラススイッチ５６７をオンする毎に、設定値がインクリメントされ、マイナススイッチ５６８をオンする毎に、設定値がデクリメントされる。そして、記憶スイッチ５６４をオンすると、表示されている設定項目について、表示されている設定値に設定され、その設定値がメモリー７４に記憶されるとともに、設定項目が、次の設定項目に切り替わり、表示部６９に該設定項目およびその設定値が表示される。
【０１４４】
制御手段７１は、これらの設定値から、図９の計算項目一覧に記載されている項目（計算項目）、すなわち、透析時間および総透析液量の理論値をそれぞれ算出し、メモリー７４に記憶する。
【０１４５】
再度、治療スイッチ５６３をオンすると、通常モードに設定され、スタンバイ状態に戻る（Ｓ１０６）。
【０１４６】
ここで、治療設定確認スイッチ５６２をオンすると、前述した各設定項目の設定値および各計算項目の理論値をそれぞれ確認することができる。
【０１４７】
すなわち、治療設定確認スイッチ５６２をオンすると、表示部６９に、治療パターンが表示される。そして、再度、治療設定確認スイッチ５６２をオンすると、表示が切り替わり、表示部６９に、初期排液量が表示される。
【０１４８】
以下、前記と同様に、治療設定確認スイッチ５６２をオンする毎に、表示が切り替わる。この場合、前記初期排液量の後は、注液量、貯留時間、サイクル数、最終注液量、最終濃度変更、透析時間および総透析液量が順次表示される。そして、治療設定確認スイッチ５６２をオンしてから６０秒経過すると、元の表示に戻る。
【０１４９】
スタンバイ状態において開始スイッチ５５１をオンすると、透析処理が行われる（Ｓ１０９）。
【０１５０】
この場合、開始スイッチ５５１をオンすると、まず、プライミング（Ｓ２０１）が行われる。プライミングが終了すると、表示部６９に、「プライミング  カンリョウ」と表示される。
【０１５１】
次いで、開始スイッチ５５１をオンすると、予め設定されている治療条件に応じて、初期排液（Ｓ２０２）、注液（Ｓ２０３）、貯留（Ｓ２０４）、排液（Ｓ２０５）および最終注液（Ｓ２０６）のうちの所定の動作がなされる。
【０１５２】
図９に示す治療設定例の場合には、図９中下側のグラフに示すように、注液（Ｓ２０３）、貯留（Ｓ２０４）および排液（Ｓ２０５）のサイクルを５回繰り返す。
【０１５３】
そして、再排液モードに設定されている場合には、最後の排液（図９に示す治療設定例では５回目の排液）が終了した後に、開始スイッチ５５１をオンすると、再度、残液の排液（Ｓ２０５）が行われる。
【０１５４】
なお、腹膜透析装置１の動作中は、開始ランプ５５４が点滅し、腹膜透析装置１が停止すると、開始ランプ５５４が消灯するとともに、停止ランプ５５５が点灯する。
【０１５５】
以下、前記初期排液（Ｓ２０２）、注液（Ｓ２０３）、貯留（Ｓ２０４）、排液（Ｓ２０５）および最終注液（Ｓ２０６）の際の動作をそれぞれ説明する。
【０１５６】
透析処理では、圧力センサー９１によりバッグ収納部５２内の圧力が検出され、この圧力センサー９１からの信号（圧力情報）は、ポンプ制御回路８８に入力され、さらにポンプ制御回路８８から制御手段７１に入力される。
【０１５７】
また、秤７９により加温用透析液バッグ５およびリザーバーバッグ８の重量が検出される。この場合、秤７９からの信号は、重量計測回路８１に入力され、重量計測回路８１は、前記信号に基づいて、加温用透析液バッグ５およびリザーバーバッグ８の重量を計測する。この加温用透析液バッグ５およびリザーバーバッグ８の重量情報は、制御手段７１に入力される。なお、前記秤７９および重量計測回路８１により、送液量を検出する送液量検出手段が構成される。
【０１５８】
また、温度センサー８２および８３によりヒーター７８および加温用透析液バッグ５の温度が、それぞれ検出される。この場合、温度センサー８２および８３からの信号は、それぞれ温度計測回路８４に入力され、温度計測回路８４は、前記信号に基づいて、ヒーター７８および加温用透析液バッグ５の温度をそれぞれ計測する。これらヒーター７８および加温用透析液バッグ５の温度情報は、それぞれ制御手段７１に入力される。
【０１５９】
また、漏液センサー８５によりバッグ収納部５２内における液漏れが検出され、この漏液センサー８５からの信号は、漏液検出回路８６に入力され、この漏液検出回路８６からの液漏れの情報が、制御手段７１に入力される。
【０１６０】
制御手段７１は、前記秤７９および圧力センサー９１からの情報等に基づいて、各クランプ５７０の作動（開閉動作）と、エアーポンプ・リークバルブ８９のエアーポンプおよびリークバルブの作動とをそれぞれ制御し、透析液回路３の各流路内の液流通状態を所望に設定する（透析液回路３中の流路を切り替える）とともに、温度センサー８２、８３からの情報に基づいて、ヒーター７８の作動を制御し、加温用透析液バッグ５内の透析液の温度を設定温度付近に維持する。
【０１６１】
前記注液（Ｓ２０３）または最終注液（Ｓ２０６）の際は、透析液がチューブ１５から１７へ流れるように、クランプモーター９３の駆動を制御し、所定のクランプ５７０を開く。そして、エアーポンプ・リークバルブ８９の駆動を制御し、バッグ収納部５２内の圧力を加圧状態にする。これにより、加温用透析液バッグ５内の圧力が上昇し、加温用透析液バッグ５内の加温された透析液が、チューブ１６、１５、１７、トランスファーチューブ１８およびカテーテルチューブ１９を通って、患者３００の腹膜内に注入される。
【０１６２】
患者３００への透析液の注入に際しては、例えば以下のようにして透析液の流量を制御することができる。秤７９により加温用透析液バッグ５の総重量を単位時間毎に検出し、その減少率から単位時間当たりの加温用透析液バッグ５からの透析液流出量（＝透析液注入量）を求め、この流出量が予め設定された設定流出量と等しくなるようにバッグ収納部５２内の圧力を調整する。この場合、圧力センサー９１の検出値に基づいて、バッグ収納部５２内の圧力が、予め設定された上限値を超えないよう制御することもできる。また、透析液の加温用透析液バッグ５からの流出が定常状態に達したときは、前述したように、圧力センサー９１の検出値に基づいて、バッグ収納部５２内の圧力を一定に保持するよう調整することもできる。このような圧力調整は、例えばリークバルブの開閉により行う。
【０１６３】
秤７９により検出された加温用透析液バッグ５の透析液流出量が、予め設定された透析液の１回の注入量（目標注入量）に相当する重量に到達したか否かを判断し、これに到達したら、クランプモーター９３の駆動を制御し、すべてのクランプ５７０を閉じ、エアーポンプを停止し、リークバルブを開状態とする。これにより、バッグ収納部５２内は、大気圧に復帰する。
【０１６４】
また、前記貯留（Ｓ２０４）の際は、クランプモーター９３の駆動を制御し、すべてのクランプ５７０を閉じ、この状態で所定時間（例えば、３０〜６００分程度）経過する。
【０１６５】
この貯留中に、透析液がチューブ１４から１５へ流れるように、クランプモーター９３の駆動を制御し、所定のクランプ５７０を開く。また、必要に応じて、透析液がチューブ１３から１５へ流れるように、クランプモーター９３の駆動を制御し、所定のクランプ５７０を開く。そして、エアーポンプ・リークバルブ８９の駆動を制御し、バッグ収納部５２内の圧力を減圧状態にする。これにより、加温用透析液バッグ５内の圧力が低下し、各透析液バッグ４ａ〜４ｄ内の透析液が、チューブ１１、１２、１４、１５および１６を通って、加温用透析液バッグ５内に導入される。また、必要に応じて、透析液バッグ４ｅ内の透析液が、チューブ１１、１３、１５および１６を通って、加温用透析液バッグ５内に導入される。
【０１６６】
加温用透析液バッグ５への透析液の導入に際しては、例えば以下のようにして透析液の流量を制御することができる。秤７９により加温用透析液バッグ５の総重量を単位時間毎に検出し、その増加率から単位時間当たりの加温用透析液バッグ５への透析液流入量を求め、この流入量が予め設定された設定流入量と等しくなるようにバッグ収納部５２内の圧力を調整する。この場合、圧力センサー９１の検出値に基づいて、バッグ収納部５２内の圧力が、予め設定された下限値を超えないよう制御することもできる。また、透析液の加温用透析液バッグ５への流入が定常状態に達したときは、前述したように、圧力センサー９１の検出値に基づいて、バッグ収納部５２内の圧力を一定に保持するよう調整することもできる。このような圧力調整は、例えばリークバルブの開閉により行う。
【０１６７】
秤７９により検出された加温用透析液バッグ５の総重量（透析液流出量）が、予め設定された透析液の１回の注入量（目標注入量）が導入されたときの重量（設定重量）に到達したか否かを判断し、これに到達したら、クランプモーター９３の駆動を制御し、すべてのクランプ５７０を閉じ、エアーポンプを停止し、リークバルブを開状態とする。これにより、バッグ収納部５２内は、大気圧に復帰する。
【０１６８】
次いで、ヒーター７８の駆動を制御して、加温用透析液バッグ５内の透析液を予め設定された所定の温度に加温する。このとき、前述したように、温度センサー８２、８３にて検出された温度情報に基づいて、加温用透析液バッグ５内の透析液の温度が前記設定温度付近に維持されるように、ヒーター制御回路７６により、ヒーター７８の駆動を制御する（ヒーター７８のオン・オフの制御または出力（発熱量）の制御を行う）。なお、サーモスイッチ７７はヒータ制御回路７６の過昇防止用として設けられている。
【０１６９】
また、前記排液（Ｓ２０５）または初期排液（Ｓ２０２）の際は、排液がチューブ１７から２１へ流れるように、クランプモーター９３の駆動を制御し、所定のクランプ５７０を開く。そして、エアーポンプ・リークバルブ８９の駆動を制御し、バッグ収納部５２内の圧力を減圧状態にする。これにより、リザーバーバッグ８内の圧力が低下し、患者３００内の排液が、カテーテルチューブ１９、トランスファーチューブ１８、チューブ１７および２１を通って、リザーバーバッグ８内に導入される。
【０１７０】
リザーバーバッグ８への排液の導入に際しては、例えば以下のようにして排液の流量を制御することができる。秤７９によりリザーバーバッグ８の総重量を単位時間毎に検出し、その増加率から単位時間当たりのリザーバーバッグ８への排液流入量を求め、この流入量が予め設定された設定流入量と等しくなるようにバッグ収納部５２内の圧力を調整する。この場合、圧力センサー９１の検出値に基づいて、バッグ収納部５２内の圧力が、予め設定された下限値を超えないよう制御することもできる。また、排液のリザーバーバッグ８への流入が定常状態に達したときは、前述したように、圧力センサー９１の検出値に基づいて、バッグ収納部５２内の圧力を一定に保持するよう調整することもできる。このような圧力調整は、例えばリークバルブの開閉により行う。
【０１７１】
秤７９により検出されたリザーバーバッグ８の総重量が、予め設定された重量（設定重量）に到達したか否かを判断し、これに到達したら、クランプモーター９３の駆動を制御し、すべてのクランプ５７０を閉じ、エアーポンプを停止し、リークバルブを開状態とする。これにより、バッグ収納部５２内は、大気圧に復帰する。
【０１７２】
次いで、排液がチューブ２１から２３へ流れるように、クランプモーター９３の駆動を制御し、所定のクランプ５７０を開く。そして、エアーポンプ・リークバルブ８９の駆動を制御し、バッグ収納部５２内の圧力を加圧状態にする。これにより、リザーバーバッグ８内の圧力が上昇し、リザーバーバッグ８内の排液が、チューブ２１、２３および２２を通って、排液バッグ９ａ〜９ｄ内に導入、回収される。
【０１７３】
排液バッグ９ａ〜９ｄへの排液の回収に際しては、例えば以下のようにして排液の流量を制御することができる。秤７９によりリザーバーバッグ８の総重量を単位時間毎に検出し、その減少率から単位時間当たりのリザーバーバッグ８からの排液流出量を求め、この流出量が予め設定された設定流出量と等しくなるようにバッグ収納部５２内の圧力を調整する。この場合、圧力センサー９１の検出値に基づいて、バッグ収納部５２内の圧力が、予め設定された上限値を超えないよう制御することもできる。また、排液のリザーバーバッグ８からの流出が定常状態に達したときは、前述したように、圧力センサー９１の検出値に基づいて、バッグ収納部５２内の圧力を一定に保持するよう調整することもできる。このような圧力調整は、例えばリークバルブの開閉により行う。
【０１７４】
秤７９により検出されたリザーバーバッグ８の総重量が、予め設定された排液残量（例えば、リザーバーバッグ８内の排液残量が０）に相当する重量に到達したか否かを判断し、これに到達したら、クランプモーター９３の駆動を制御し、すべてのクランプ５７０を閉じ、エアーポンプを停止し、リークバルブを開状態とする。これにより、バッグ収納部５２内は、大気圧に復帰する。
【０１７５】
また、リザーバーバッグ８への排液の導入および排液バッグへの移送を患者３００からの排液の流入がなくなるまで（所定の重量変化量）繰り返す。
【０１７６】
治療（透析）中は、通常表示が行われる。この場合、現在の工程、現在のサイクル数、現在の年月日、現在の時刻等が、表示部６９に表示される。
【０１７７】
また、この腹膜透析装置１では、治療中に、透析状態を確認することができる。すなわち、治療中に、レポートスイッチ５５２をオンすると、表示部６９に、総注液量、総排液量、再排液量、平均貯留時間、各サイクル毎の注液量、各サイクル毎の排液量、各サイクル毎の除水量、各サイクル毎の貯留時間、残り貯留時間および残り透析時間のうちの予め選択されている項目と、初期排液量と、注液量と、排液量と、総除水量と、最終注液量とが表示される。
【０１７８】
具体的には、治療中にレポートスイッチ５５２をオンすると、まず、表示部６９に、初期排液量が表示される。初期排液中は、排液されている量が表示され、初期排液後は、初期排液された量が表示される。
【０１７９】
再度、レポートスイッチ５５２をオンすると、表示が切り替わり、表示部６９に、注液量が表示される。注液中は、今回のサイクルで注液されている量が表示され、注液中以外は、今回のサイクルで注液された量が表示される。
【０１８０】
再度、レポートスイッチ５５２をオンすると、表示が切り替わり、表示部６９に、排液量が表示される。排液中は、今回のサイクルで排液されている量が表示され、排液中以外は、前回のサイクルで排液された量が表示される。
【０１８１】
再度、レポートスイッチ５５２をオンすると、表示が切り替わり、表示部６９に、総除水量（前回のサイクルまでに除水された総量）が表示される。
【０１８２】
以下、前記と同様に、レポートスイッチ５５２をオンする毎に、表示が切り替わる。この場合、前記総除水量の後は、最終注液量と、総注液量、総排液量、再排液量、平均貯留時間、各サイクル毎の注液量、各サイクル毎の排液量、各サイクル毎の除水量、各サイクル毎の貯留時間、残り貯留時間および残り透析時間のうちの予め選択されている項目とが、順次表示される。
【０１８３】
この腹膜透析装置１では、レポートスイッチ５５２をオンしてから６０秒経過すると、前述した通常表示に戻る。
【０１８４】
治療、すなわち透析が終了すると、終了処理が行われる（Ｓ１１３）。
この場合、透析液バッグ内に残存した透析液の排液バッグへの移送を行うか否かを手動で選択し得る手動モードに設定されている場合には、開始スイッチ５５１をオンすると、残存した透析液の排出処理（余った透析液の排出処理）が行われる（Ｓ１１４）。この排出処理では、表示部６９に、「アマッタトウセキエキノハイシュツ」と表示され、透析液バッグ４ａ〜４ｅおよび各チューブ内に残存した透析液が、排液バッグ９ａ〜９ｄに移送、回収される。
【０１８５】
また、透析液バッグ内に残存した透析液の排液バッグへの移送を透析終了後に自動的に行う自動モードに設定されている場合には、治療、すなわち透析が終了すると、表示部６９に、「アマッタトウセキエキノハイシュツ」と表示され、透析液バッグ４ａ〜４ｅおよび各チューブ内に残存した透析液が、排液バッグ９ａ〜９ｄに移送、回収される。
【０１８６】
前記残存した透析液の排出処理が終了すると、表示部６９に、「チリョウシュウリョウ  クランプヲスベテトジ、テイシヲオス」と表示される（Ｓ１１３）。
【０１８７】
この腹膜透析装置１では、治療終了後に、透析結果を確認することができる。すなわち、治療終了後に、レポートスイッチ５５２をオンすると、表示部６９に、総注液量、総排液量、再排液量、平均貯留時間、各サイクル毎の注液量、各サイクル毎の排液量、各サイクル毎の除水量、各サイクル毎の貯留時間、残り貯留時間および残り透析時間のうちの予め選択されている項目と、初期排液量と、総除水量と、最終注液量とが表示される。
【０１８８】
具体的には、レポートスイッチ５５２をオンすると、まず、表示部６９に、初期排液量が表示される。
【０１８９】
再度、レポートスイッチ５５２をオンすると、表示が切り替わり、表示部６９に、総除水量が表示される。
【０１９０】
以下、前記と同様に、レポートスイッチ５５２をオンする毎に、表示が切り替わる。この場合、前記総除水量の後は、最終注液量と、総注液量、総排液量、再排液量、平均貯留時間、各サイクル毎の注液量、各サイクル毎の排液量、各サイクル毎の除水量、各サイクル毎の貯留時間、残り貯留時間および残り透析時間のうちの予め選択されている項目とが、順次表示される。
【０１９１】
なお、表示項目を選択することができるので、表示が煩雑となるのを回避し、必要な項目のみを表示することができる。
【０１９２】
この腹膜透析装置１では、停止スイッチ５５３をオンするまでは、前記の表示がなされ、停止スイッチ５５３をオンすると、表示部６９に、「クランプドウサチュウ」と表示され、クランプ部５７のすべてのクランプ５７０が閉じる。そして、このクランプ動作が完了すると、表示部６９に、「カセットヲ  ハズス」と表示される。
【０１９３】
また、この腹膜透析装置１では、治療を一時停止（一時中断）することができる。
【０１９４】
治療中に、停止スイッチ５５３をオンすると、一時停止処理が行われる（Ｓ１１２）。
【０１９５】
この一時停止処理では、表示部６９に、「クランプドウサチュウ」と表示され、クランプ部５７のすべてのクランプ５７０が閉じる。そして、このクランプ動作が完了すると、表示部６９に、「テイシチュウ」と表示される。
【０１９６】
開始スイッチ５５１をオンすると、治療が再開される（Ｓ１０９）。この場合、前記治療は、停止する直前に実行されていた工程から続行される。
【０１９７】
また、制御手段７１は、秤７９および重量計測回路８１により検出された送液量等に基づいて、送液の正常・異常を判断する。そして、異常と判断された場合、すなわち異常が生じた場合には、エラー処理が行われる（Ｓ１１１）。
【０１９８】
このエラー処理では、警報ランプ５５６の点灯と、表示部６９へのアラーム（警報）表示とを行い、クランプ部５７のすべてのクランプ５７０を閉じるとともに、バッグ収納部５２内を大気圧状態に復帰させ、送液を停止する。これにより、透析における安全性が確保される。
【０１９９】
例えば、前述した加温用透析液バッグ５、リザーバーバッグ８の重量検出の結果、加温用透析液バッグ５からの透析液流出量が急激に減少した場合、または所定時間経過しても加温用透析液バッグ５内の透析液が予め設定された透析液残量に到達しない場合や、リザーバーバッグ８への排液流入量が急激に減少した場合、または所定時間経過してもリザーバーバッグ８４内の排液が予め設定された目標排液量に到達しない場合には、例えばチューブ１７やトランスファーチューブ１８の閉塞等の異常事態が発生したものと判断し、すべてのクランプ５７０を閉じるとともに、バッグ収納部５２内を大気圧状態に復帰させる。
【０２００】
そして、この異常事態を報知するために、警告を発する。すなわち、警報ランプ５５６を点灯するとともに、表示部６９ヘの表示を行う。この場合、表示部６９には、現在の工程（異常が生じた時の工程）と、エラーに対応するアラームの内容と、現在までのサイクル数と、Ａタイプ／Ｂタイプの別とが表示される。なお、前記表示部６９により、送液に関する情報を報知する報知手段が構成される。
【０２０１】
ここで、本実施例では、送液の正常・異常の判断は、秤７９により検出された送液量と、しきい値とを比較して行われる。すなわち、秤７９により検出された送液量がしきい値以下の場合には、異常事態と判断され、前記エラー処理が行われる。
【０２０２】
前記送液量としては、例えば、注液量、排液量、初期排液量、最終注液量、初期注液量、タイダール量等が挙げられる。
【０２０３】
前記エラー状態において、開始スイッチ５５１をオンすると、治療が再開される。この場合、前記治療は、停止する直前に実行されていた工程から続行される。
【０２０４】
また、初期排液量が基準値以下に設定されている場合、本実施例では、初期排液量がその設定値（送液量の設定値）の最小単位に設定されている場合（送液量の設定値の最小単位が５０mL（大人用）に設定されているときは、初期排液量が５０mLに設定されている場合、送液量の設定値の最小単位が１０mL（小児用）に設定されているときは、初期排液量が１０mLに設定されている場合）には、初期排液に関し、エラー処理（警報ランプ５５６の点灯、表示部６９へのアラーム表示、すべてのクランプ５７０を閉じて送液を停止すること等）を禁止する。
【０２０５】
これにより、この腹膜透析装置１では、初期排液量が分からない場合、特に、初期排液量が少なく、かつ初期排液量が分からない場合でも、初期排液量をその設定値の最小単位に設定することにより、透析液の交換、すなわち、初期排液から注液への移行を円滑に行うことができる。
【０２０６】
また、この腹膜透析装置１では、前述したように、停電検出回路１０２により停電の検出が行われている。
【０２０７】
停電になると、電源トランス９７から停電検出回路１０２への印加電圧が０となり、停電検出回路１０２からの信号が、制御手段７１および安全回路１０３にそれぞれ入力される。この場合、制御手段７１は、バッテリー１０１から電力が供給されるように、図示しない所定のスイッチを切り替えるとともに、停電処理を実行する（Ｓ１１０）。
【０２０８】
停電処理では、安全回路１０３は、クランプ制御回路９２、ポンプ制御回路８８およびヒータ制御回路７６により、すべてのクランプ５７０を閉じ、バッグ収納部５２内を大気圧状態に復帰させるとともに、ヒーター７８を停止させる。そして、この状態で待機する。
【０２０９】
予め設定されている待機時間（例えば、１〜３０分程度）内に停電から復帰した場合には、治療が再開される。この場合、前記治療は、停止する直前に実行されていた工程から続行される。
【０２１０】
また、予め設定されている待機時間を経過しても停電している場合には、前述したエラー処理が行われる（Ｓ１１１）。
【０２１１】
前述したエラー状態または一時停止状態（待機状態）で、停止スイッチ５５３を例えば５秒以上オンすると、治療を強制的に終了（中止）し、表示部６９には、「チリョウチュウシ」と表示される。
【０２１２】
そして、前述したように、レポートスイッチ５５２をオンする毎に、初期排液量と、総除水量と、最終注液量と、予め選択されている項目とが順次表示される。
【０２１３】
前述したように、停止スイッチ５５３をオンすると、「クランプドウサチュウ」と表示され、クランプ部５７のすべてのクランプ５７０が閉じる。そして、このクランプ動作が完了すると、表示部６９に、「カセットヲ  ハズス」と表示される。
電源スイッチ６３をオフすると、電源がオフの状態になる（Ｓ１０１）。
【０２１４】
以上説明したように、腹膜透析装置１によれば、腹膜透析の開始から終了までを自動的に行うことができるので、例えば、就寝中に患者が起きて流路の切り替えを行うといった手間がかからない。
【０２１５】
また、総注液量、総排液量、再排液量、平均貯留時間、各サイクル毎の注液量、各サイクル毎の排液量、各サイクル毎の除水量、各サイクル毎の貯留時間、残り貯留時間および残り透析時間のうちの予め選択されている項目と、初期排液量と、総除水量と、最終注液量とを表示することができるので、透析の結果を容易に把握することができる。この場合、表示項目を選択することができるので、表示が煩雑となるのを回避し、必要な項目のみを表示することができる。
【０２１６】
また、透析液バッグ内に残存した透析液の排液バッグへの移送を透析終了後に自動的に行うことができる自動モードと、透析液バッグ内に残存した透析液の排液バッグへの移送を行うか否かを手動で選択し得る手動モードとに設定可能であるので、汎用性が広い。
【０２１７】
また、再排液モードに設定可能であるので、より高い治療効果が得られる。
また、送液量の設定値の最小単位を変更、すなわち、１０mL／５０mLに設定することができるので、各透析条件を細かく、適正値に設定することができ、これにより最適な治療を行うことができる。
【０２１８】
また、異常が生じた場合には、エラー処理が行われ、停電の場合には、停電処理が行われるので、安全性が高い。
【０２１９】
また、患者３００への透析液の注液および患者３００からの排液の回収の際の液移送を、それぞれ、加温用透析液バッグ５の雰囲気の加圧およびリザーバーバッグ８の雰囲気の減圧により行うため、液流通を得るための落差を確保する必要がなく、患者の就寝位置（高さ）を自由に選択することができる。
【０２２０】
また、透析液バッグおよび排液バッグの双方に患者の就寝位置からの落差を確保する必要がないため、装置の小型化が図れ、就寝中に誤って装置を転倒させるという事故も防止できる。
【０２２１】
以上、本発明の腹膜透析装置を、図示の構成例に基づいて説明したが、本発明はこれに限定されるものではなく、各部の構成は、同様の機能を有する任意の構成のものに置換することができる。
【０２２２】
例えば、本発明では、送液異常の報知が、音声やブザーで行われるように構成されていてもよい。
【０２２３】
また、本発明では、送液手段は、例えば、ローラーポンプで構成されていてもよい。
【０２２４】
また、本発明では、透析液回路のパターン、すなわち、チューブの接続関係や、バッグの数は、図示のものに限定されない。
【０２２５】
【発明の効果】
以上説明したように、本発明の腹膜透析装置によれば、表示項目を選択することができるので、表示が煩雑となるのを回避し、必要な項目のみを表示することができるとともに、操作が簡素化される。
【０２２６】
そして、停電が生じた際には、適正かつ安全に装置を停止し、また、治療を再開することもできる。
【０２２７】
また、透析液容器内に残存した透析液の排液回収容器への移送を透析終了後に自動的に行う自動モードと、前記移送を行うか否かを手動で選択し得る手動モードとに設定可能であるので、汎用性が広い。
【０２２８】
また、最後の排液終了後に再度、残液の排液を行うことが可能な再排液モードに設定可能であるので、より高い治療効果が得られる。
【０２２９】
また、送液量の設定値の最小単位を変更し得るので、透析条件を適正値に設定することができ、これにより最適な治療を行うことができる。
【０２３０】
また、送液量検出手段により検出された送液量に基づいて、送液の異常を検出し、送液の停止や、送液異常の報知を行うよう構成されているので、安全性が高い。
【０２３１】
また、初期排液量が基準値以下に設定されている場合には、初期排液に関し、送液の停止や、送液異常の報知を禁止するよう構成されているので初期排液量が少量でわからない場合にも、治療を円滑に行うことができる。
【図面の簡単な説明】
【図１】本発明の腹膜透析装置の構成例を模式的に示す斜視図である。
【図２】図１に示す腹膜透析装置の透析液回路を示す図である。
【図３】図１に示す腹膜透析装置の透析装置本体を示す斜視図である。
【図４】図１に示す腹膜透析装置の透析装置本体（フロントドアを開けた状態）を示す正面図である。
【図５】図１に示す腹膜透析装置の操作パネルを示す正面図である。
【図６】図１に示す腹膜透析装置の設定パネルを示す正面図である。
【図７】図１に示す腹膜透析装置の透析装置本体の回路構成を示すブロック図である。
【図８】図１に示す腹膜透析装置の状態推移図である。
【図９】本発明において、Ａタイプ・ＮＰＤパターンにおける治療条件の設定例およびこの設定における腹膜透析装置の動作を示す図（表およびグラフ）である。
【符号の説明】
１              腹膜透析装置
２              透析装置本体
３              透析液回路
４ａ〜４ｅ      透析液バッグ
５              加温用透析液バッグ
６              トランスファーチューブセット
７              カセット
７０            チューブ押圧部材
８              リザーバーバッグ
９ａ〜９ｄ      排液バッグ
１１〜１７      チューブ
１８            トランスファーチューブ
１９            カテーテルチューブ
２１〜２３      チューブ
３１〜３３      コネクタ
３４            ジョイント
３５〜３８      クレンメ
３９            ローラクランプ
４１〜４６      分岐コネクタ
５１            ケーシング
５２            バッグ収納部
５３            蓋
５４            蓋ロックレバー
５５            操作パネル
５５１          開始スイッチ
５５２          レポートスイッチ
５５３          停止スイッチ
５５４          開始ランプ
５５５          停止ランプ
５５６          警報ランプ
５５７          カセットランプ
５５８          バッグ収納部蓋ランプ
５５９          注液適温ランプ
５６            設定パネル
５６１          照度調整スイッチ
５６２          治療設定確認スイッチ
５６３          治療スイッチ
５６４          記憶スイッチ
５６５          時刻スイッチ
５６６          排液パススイッチ
５６７          プラススイッチ
５６８          マイナススイッチ
５７            クランプ部
５７０          クランプ
５８            設定パネルカバー
５９            フロントドア
６１            ドアレバー
６２            セーフティーレバー
６３            電源スイッチ
６４            加温トレイ
６５            仕切板
６６            フック
６７            チューブ溝
６８            キャップホルダー
６９            表示部
７１            制御手段
７２            操作部
７３            ランプ駆動回路
７４            メモリー
７５            リアルタイムクロック
７６            ヒーター制御回路
７７            サーモスイッチ
７８            ヒーター
７９            秤
８１            重量計測回路
８２            温度センサー（ヒーター用）
８３            温度センサー（バッグ用）
８４            温度計測回路
８５            漏液回路
８６            漏液検出回路
８７            ドアロック検出センサー
８８            ポンプ制御回路
８９            エアーポンプ・リークバルブ
９１            圧力センサー
９２            クランプ制御回路
９３            クランプモーター
９４            クランプ位置検出センサー
９５            カセット検出センサー
９６            ドアロック検出センサー
９７            電源トランス
９８            電源回路
９９            充電回路
１０１          バッテリー
１０２          停電検出回路
１０３          安全回路
１０４          電源
３００          患者
【図１】
0003828080.tif 000002
【図２】
0003828080.tif 000003
【図３】
0003828080.tif 000004
【図４】
0003828080.tif 000005
【図５】
0003828080.tif 000006
【図６】
0003828080.tif 000007
【図７】
0003828080.tif 000008
【図８】
0003828080.tif 000009
【図９】
0003828080.tif 000010